(57)【要約】【課題】板状放熱部が所定の間隔をおいて複数立設された暖房装置について、熱の対流現象を利用して暖房出力を向上させることができ、且つ簡易な構成で後付けできる暖房装置用の熱対流誘導具を提供すること。【解決手段】所定の間隔を置いて立設状態に設けられた複数の板状放熱部と、隣接する該板状放熱部同士を水平方向に連結して熱媒体が流通するように上下において設けられた上方及び下方の水平連通部とを備える暖房装置に用いられ、隣接する前記板状放熱部同士の間に案内されると共に前記上方及び下方の水平連通部を挟む状態で実質的に平行な立設状態に配される一対の筒状体と、該一対の筒状体が、実質的に平行状態を保持できると共に前記上方の水平連通部に掛け置きできるように、該一対の筒状体同士の上方部を連結する連結部とを具備する。【選択図】図１
0003155670.tif 000002
【実用新案登録請求の範囲】
【請求項１】
所定の間隔を置いて立設状態に設けられた複数の板状放熱部と、隣接する該板状放熱部同士を水平方向に連結して熱媒体が流通するように上下において設けられた上方及び下方の水平連通部とを備える暖房装置に用いられ、
隣接する前記板状放熱部同士の間に案内されると共に前記上方及び下方の水平連通部を挟む状態で実質的に平行な立設状態に配される一対の筒状体と、
該一対の筒状体が、実質的に平行状態を保持できると共に前記上方の水平連通部に掛け置きできるように、該一対の筒状体同士の上方部を連結する連結部とを具備することを特徴とする暖房装置用の熱対流誘導具。
【請求項２】
前記暖房装置が、オイルヒーターであることを特徴とする請求項１記載の暖房装置用の熱対流誘導具。
【請求項３】
前記筒状体が、アルミニウム製のパイプであることを特徴とする請求項１又は２記載の暖房装置用の熱対流誘導具。
【請求項４】
前記筒状体の下部の複数個所に貫通孔を設けたことを特徴とする請求項１〜３のいずれかに記載の暖房装置用の熱対流誘導具。
【請求項５】
前記連結部が、前記一対の筒状体の平行間隔を調整できるように、長さ調整可能に設けられていることを特徴とする請求項１〜４のいずれかに記載の暖房装置用の熱対流誘導具。
【考案の詳細な説明】
【技術分野】
【０００１】
本考案は、オイルヒーター等のフィン部（板状放熱部）が所定の間隔をおいて複数立設された暖房装置に用いる熱対流誘導具に関する。
【背景技術】
【０００２】
オイルヒーターでは、輻射熱と、加熱された空気の自然対流を利用して室内空間を暖めるように設けられている。また、一般的に送風機を用いないため騒音がなく、排気がなくためクリーンで且つ安全性が高い利点がある。
しかし、暖房出力という面では、他の暖房器具と比較しても限界がある。
【０００３】
これに対して、オイルヒーターの暖房出力を向上させる一つの方法として、オイルヒーターのフィンからの放熱を昇熱及びオイルヒーターを壁面に密着して使用できるように反射体を前記フィンに着脱可能にしたオイルヒーター用反射体が提供されている（特許文献１参照）。
【先行技術文献】
【特許文献】
【０００４】
【特許文献１】実用新案登録第３０４４３４８号公報（第１頁）
【考案の概要】
【考案が解決しようとする課題】
【０００５】
暖房装置用の熱対流誘導具に関して解決しようとする問題点は、板状放熱部が所定の間隔をおいて複数立設された暖房装置について、熱の対流現象を利用して暖房出力を向上でき、且つ簡易な構成で後付けできるものが提案されていない点にある。
そこで本考案の目的は、板状放熱部が所定の間隔をおいて複数立設された暖房装置について、熱の対流現象を利用して暖房出力を向上させることができ、且つ簡易な構成で後付けできる暖房装置用の熱対流誘導具を提供することにある。
【課題を解決するための手段】
【０００６】
本考案は、上記目的を達成するために次の構成を備える。
本考案にかかる暖房装置用の熱対流誘導具の一形態によれば、所定の間隔を置いて立設状態に設けられた複数の板状放熱部と、隣接する該板状放熱部同士を水平方向に連結して熱媒体が流通するように上下において設けられた上方及び下方の水平連通部とを備える暖房装置に用いられ、隣接する前記板状放熱部同士の間に案内されると共に前記上方及び下方の水平連通部を挟む状態で実質的に平行な立設状態に配される一対の筒状体と、該一対の筒状体が、実質的に平行状態を保持できると共に前記上方の水平連通部に掛け置きできるように、該一対の筒状体同士の上方部を連結する連結部とを具備する。
【０００７】
また、本考案にかかる暖房装置用の熱対流誘導具の一形態によれば、前記暖房装置が、オイルヒーターであることを特徴とするができる。
【０００８】
また、本考案にかかる暖房装置用の熱対流誘導具の一形態によれば、前記筒状体が、アルミニウム製のパイプであることを特徴とすることができる。
また、本考案にかかる暖房装置用の熱対流誘導具の一形態によれば、前記筒状体の下部の複数個所に貫通孔を設けたことを特徴とすることができる。
【０００９】
また、本考案にかかる暖房装置用の熱対流誘導具の一形態によれば、前記連結部が、前記一対の筒状体の平行間隔を調整できるように、長さ調整可能に設けられていることを特徴とすることができる。
【考案の効果】
【００１０】
本考案にかかる暖房装置用の熱対流誘導具によれば、板状放熱部が所定の間隔をおいて複数立設された暖房装置について、熱の対流現象を利用して暖房出力を向上させることができ、且つ簡易な構成で後付けできるという特別有利な効果を奏する。
【図面の簡単な説明】
【００１１】
【図１】本考案に係る暖房装置用の熱対流誘導具の形態例を示す斜視図である。
【考案を実施するための形態】
【００１２】
以下、本考案にかかる暖房装置用の熱対流誘導具の形態例を添付図面（図１）に基づいて詳細に説明する。
この暖房装置用の熱対流誘導具２０は、所定の間隔を置いて立設状態に設けられた複数の板状放熱部１１と、隣接する板状放熱部１１、１１同士を水平方向に連結して熱媒体が流通するように上下において設けられた上方及び下方の水平連通部１２、１３とを備える暖房装置に用いられるものである。この暖房装置としては、例えば、図１に示したようなオイルヒーター１０がある。
【００１３】
２１、２１は一対の筒状体であり、隣接する板状放熱部１１、１１同士の間に案内されると共に上方及び下方の水平連通部１２、１３を挟む状態で実質的に平行な立設状態に配される。
図１の形態例では、一対の筒状体２１、２１を構成要素とする熱対流誘導具２０が、八組装着される暖房装置（オイルヒーター１０）が示されている。図１では、５組の熱対流誘導具２０が、オイルヒーター１０に装着されており、残り３組が取り外された状態に示されている。
【００１４】
２２は連結部であり、一対の筒状体２１、２１が、実質的に平行状態を保持できると共に上方の水平連通部１２に掛け置きできるように、その一対の筒状体２１、２１同士の上方部を連結する。連結部２２が、上方の水平連通部１２の上面に当接することで、一対の筒状体２１、２１はそれぞれが上下に延びるように吊下げられた状態に掛け置かれて保持される。一対の筒状体２１、２１と連結部２２によって全体形状として下部が長いＨ字状に形成され、上方及び下方の水平連通部１２、１３を跨ぐ形態で隣接する板状放熱部１１、１１間に位置する。
これによれば、簡易な構成であると共に、簡単に後付けすることができる。
【００１５】
この連結部２２は、一対の筒状体２１、２１の平行間隔を調整できるように、長さ調整可能に設けられている。例えば、本形態例では、各筒状体２１の上部に、断面がコの字状で直角方向に延びる連結片が設けられ、一方の筒状体２１の連結片のコの字状の中に他方の筒状体２１の連結片がスライドされて間隔調整ができる形態になっている。そのように間隔を調整した上で、ネジ止めすることで、二本の筒状体２１、２１の間隔が保持できるようになっている。これにより、種類の異なる暖房装置に対しても好適に対応することができる。
【００１６】
筒状体２１が、金属製のパイプ、例えばアルミニウム製のパイプであることで、伝熱効率がよく、暖房出力を向上できる。
なお、筒状体２１とは、パイプに限定されるものではなく、上下方向に延びて上下に開口するように設置できる筒状のものであればよい。
【００１７】
また、筒状体２１の下部の複数個所に貫通孔２３を設けたことで、上昇急流を強めることができる。つまり、筒状体２１の下端開口に加えて、貫通孔２３の開口からも空気が吸入され、熱上昇気流が増幅され、暖房出力を高めることができる。
【００１８】
本形態例による熱対流誘導具２０によれば、オイルヒーター１０の上にカレンダーなどをぶら下げると舞い上がるほどに、煙突効果によって上昇気流が高まる。これにより、熱対流効果が増大し、オイルヒーター１０の出力性能を格段に向上させることができる。
【００１９】
以上、本考案につき好適な形態例を挙げて種々説明してきたが、本考案はこの形態例に限定されるものではなく、考案の精神を逸脱しない範囲内で多くの改変を施し得るのは勿論のことである。
【符号の説明】
【００２０】
１０  オイルヒーター
１１  板状放熱部
１２  上方の水平連通部
１３  下方の水平連通部
２０  熱対流誘導具
２１  筒状体
２２  連結部
２３  貫通孔
【図１】
0003155670.tif 000003